(57)【特許請求の範囲】
【請求項１】
セルフタイマー機能を有するカメラ装置において、
セルフタイマーの設定時間に対応した報知用データを複数記録した記録手段と、
セルフタイマーの設定時間を設定するセルフタイマー時間設定手段と、
前記記録手段に記録されている報知用データから前記セルフタイマー時間設定手段により設定されたセルフタイマーの設定時間に応じた報知用データを選択する報知用データ選択手段と、
前記セルフタイマーの作動中は、前記報知用データ選択手段により選択された当該報知用データに基づいて報知する報知手段と、を備え、
前記各報知用データは、セルフタイマーの残りの作動時間が共通する期間において、互いに報知内容が異なっていることを特徴とするカメラ装置。
【請求項２】
報知用データをセルフタイマーの設定時間に対応させて予め前記記録手段に登録させておく報知情報登録手段を備えたことを特徴とする請求項１に記載のカメラ装置。
【請求項３】
前記報知手段は、前記報知用データに基づいて、セルフタイマーが作動中である旨を報知することを特徴とする請求項１または２に記載のカメラ装置。
【請求項４】
前記報知手段は、前記報知用データに基づいて、撮影タイミングを報知することを特徴とする請求項１または２に記載のカメラ装置。
【請求項５】
前記報知用データは、音楽データであり、
前記報知手段は、前記音楽データに基づいた音楽出力により報知することを特徴とする請求項１から４の何れかに記載のカメラ装置。
【請求項６】
前記報知用データは、音声メッセージデータであり、
前記報知手段は、前記音声メッセージデータに基づいた音声メッセージ出力により報知することを特徴とする請求項１から４の何れかに記載のカメラ装置。
【請求項７】
前記報知用データは、画像データであり、
前記報知手段は、前記画像データに基づいた画像出力により報知することを特徴とする請求項１から４の何れかに記載のカメラ装置。
【請求項８】
セルフタイマー機能を有するカメラ装置において、
セルフタイマーの任意の設定時間を設定するセルフタイマー時間設定手段と、
前記セルフタイマー時間設定手段により設定されたセルフタイマーの設定時間に応じた音楽を出力する報知手段と、を備え、
前記報知手段は、セルフタイマーの残りの作動時間が共通する期間において、セルフタイマーの設定時間毎に異なるフレーズを出力することを特徴とするカメラ装置。
【請求項９】
セルフタイマー機能を有するカメラ装置の撮像方法において、
セルフタイマーの設定時間を設定するセルフタイマー時間設定工程と、
セルフタイマーの設定時間に対応した報知用データが複数記録された記録手段から前記セルフタイマー時間設定工程で設定されたセルフタイマーの設定時間に応じた報知用データを選択する報知用データ選択工程と、
前記セルフタイマーの作動中は、前記報知用データ選択工程で選択された当該報知用データに基づいて報知する報知工程と、を有し、
前記各報知用データは、セルフタイマーの残りの作動時間が共通する期間において、互いに報知内容が異なっていることを特徴とする撮像方法。
【請求項１０】
セルフタイマー機能を有するカメラ装置の撮像方法において、
セルフタイマーの任意の設定時間を設定するセルフタイマー時間設定工程と、
前記セルフタイマー時間設定工程で設定されたセルフタイマーの設定時間に応じた音楽を出力する報知工程と、を有し、
前記報知工程は、セルフタイマーの残りの作動時間が共通する期間において、セルフタイマーの設定時間毎に異なるフレーズを出力することを特徴とする撮像方法。
【発明の詳細な説明】
【０００１】
【発明の属する技術分野】
本発明はセルフタイマー機能を備えたカメラ装置に関し、特に、セルフタイマー設定時の撮像補助技術に関する。
【０００２】
【従来の技術】
撮像の際、撮像者自身が被写体となる場合等にカメラ装置に撮像猶予時間を設定して撮像指示（シャッターの押し下げ等）を行なった後に、設定時間を経過すると自動的に撮像を行なう自動撮像補助機能（いわゆる、セルフタイマー機能）を有するカメラ装置が普及している。
また、一方、近年、大衆向け電子スチルカメラとしてデジタルカメラが開発され市販されている。
デジタルカメラで撮像された被写体像は、ＣＣＤ等による光電変換、信号変換及び信号処理等を経て画像データとして記憶媒体に記録される。また、記録モードで記録媒体に記録された画像情報を読み出して表示装置上に再生表示することもできる。
また、デジタルカメラの多くは液晶ディスプレイ等からなる表示装置を備えており、撮像補助機能としてセルフタイマー機能を備えているものも多い。
【０００３】
【発明が解決しようとする課題】
カメラ装置では、セルフタイマーが設定されると、設定時間がカウントダウンされ、設定時間がゼロになると（或いは、時間カウンタがカウントアップされて設定時間と等しくなると）、シャッターが切られる。
セルフタイマーを設定して集合画像等を撮像する場合には、被撮像者にとってシャッターの切られるまでの時間を感覚（または、直感）的に認識することができないので、人によっては脇見などをする者も出る等、カメラに対する求心力が弱まり、必ずしもカメラ方向に視線が統一していないしまりのない画像が得られる場合があるという問題点があった。
【０００４】
また、いつシャッターが切られたかが分からないので被撮像者のある者は撮像終了を知らず、ポーズをとったままでいたり、ある者は既に撮像が終ったものと思い込んで動いてしまうといった事例があった。
【０００５】
ここで、セルフタイマー動作中にカメラ装置からセルフタイマー動作中であることを被撮像者に印象付ける報知用データ（例えば、音楽や音声メッセージ）を出力すれば、被撮像者の関心がカメラに向うので好適な画像を得ることが見込まれる。また、セルフタイマーの動作設定時間に合わせ報知データを出力することにより報知出力の終了により被撮像者が同時に撮像終了を知ることができる。
【０００６】
また、被撮像者の性別や年齢等によって報知データに対する関心度が異なるので、予め報知データを登録しておき撮像時に選択するようにしておくことも望ましい。また、登録された報知データをユーザが変更できるようにすれば更に望ましい。
【０００７】
本発明は、上記問題点および上記各課題に鑑みてなされたものであり、セルフタイマー設定時にセルフタイマー起動、継続および終了（撮像終了）を被撮像者にわかりやすく知らせ得るカメラ装置の提供を目的とする。
【０００８】
【課題を解決するための手段】
上記の目的を達成するために第１の発明のカメラ装置は、セルフタイマー機能を有するカメラ装置において、セルフタイマーの設定時間に対応した報知用データを複数記録した記録手段と、セルフタイマーの設定時間を設定するセルフタイマー時間設定手段と、前記記録手段に記録されている報知用データから前記セルフタイマー時間設定手段により設定されたセルフタイマーの設定時間に応じた報知用データを選択する報知用データ選択手段と、前記セルフタイマーの作動中は、前記報知用データ選択手段により選択された当該報知用データに基づいて報知する報知手段と、を備え、前記各報知用データは、セルフタイマーの残りの作動時間が共通する期間において、互いに報知内容が異なっていることを特徴とする。また、第２の発明のカメラ装置は、前記第１の発明のカメラ装置において、報知用データをセルフタイマーの設定時間に対応させて予め前記記録手段に登録させておく報知情報登録手段を備えたことを特徴とする。
【０００９】
また、第３の発明のカメラ装置は、前記第１または第２の発明のカメラ装置において、前記報知手段は、前記報知用データに基づいて、セルフタイマーが作動中である旨を報知することを特徴とする。また、第４の発明のカメラ装置は、前記第１または第２の発明のカメラ装置において、前記報知手段は、前記報知用データに基づいて、撮影タイミングを報知することを特徴とする。
【００１１】
また、第５の発明のカメラ装置は、前記第１から第４の何れかの発明のカメラ装置において、前記報知用データは、音楽データであり、前記報知手段は、前記音楽データに基づいた音楽出力により報知することを特徴とする。また、第６の発明のカメラ装置は、前記第１から第４の何れかの発明のカメラ装置において、前記報知用データは、音声メッセージデータであり、前記報知手段は、前記音声メッセージデータに基づいた音声メッセージ出力により報知することを特徴とする。また、第７の発明のカメラ装置は、前記第１から第４の何れかの発明のカメラ装置において、前記報知用データは、画像データであり、前記報知手段は、前記画像データに基づいた画像出力により報知することを特徴とする。
【００１２】
また、第８の発明のカメラ装置は、セルフタイマー機能を有するカメラ装置において、セルフタイマーの任意の設定時間を設定するセルフタイマー時間設定手段と、前記セルフタイマー時間設定手段により設定されたセルフタイマーの設定時間に応じた音楽を出力する報知手段と、を備え、前記報知手段は、セルフタイマーの残りの作動時間が共通する期間において、セルフタイマーの設定時間毎に異なるフレーズを出力することを特徴とする。
【００１３】
また、第９の発明の撮像方法は、セルフタイマー機能を有するカメラ装置の撮像方法において、セルフタイマーの設定時間を設定するセルフタイマー時間設定工程と、セルフタイマーの設定時間に対応した報知用データが複数記録された記録手段から前記セルフタイマー時間設定工程で設定されたセルフタイマーの設定時間に応じた報知用データを選択する報知用データ選択工程と、前記セルフタイマーの作動中は、前記報知用データ選択工程で選択された当該報知用データに基づいて報知する報知工程と、を有し、前記各報知用データは、セルフタイマーの残りの作動時間が共通する期間において、互いに報知内容が異なっていることを特徴とする。また、第１０の発明の撮像方法は、セルフタイマー機能を有するカメラ装置の撮像方法において、セルフタイマーの任意の設定時間を設定するセルフタイマー時間設定工程と、前記セルフタイマー時間設定工程で設定されたセルフタイマーの設定時間に応じた音楽を出力する報知工程と、を有し、前記報知工程は、セルフタイマーの残りの作動時間が共通する期間において、セルフタイマーの設定時間毎に異なるフレーズを出力することを特徴とする。
【００１４】
【発明の実施の形態】
本発明はセルフタイマー機能を有するカメラ装置に適用可能である。
［回路構成例］
図１は、本発明を適用した電子カメラ装置の一実施例としてのデジタルカメラの回路構成例を示すブロック図であり、図１（ａ）で、デジタルカメラ１００は、音響入出力部１０、光学系１１、信号変換部１２、信号処理部１３、ＤＲＡＭ（ダイナミックメモリー）１４、制御部２０、操作部３０、表示部４０、ＯＳＤデータ用ＲＯＭ４５、記録部５０および電源９０を有している。なお、音声メモリーを備えるように構成してもよい。
【００１５】
音響入出力部１０（図２）は、セルフタイマー設定期間中に、セルフタイマーモード設定中であることを被撮像者に告知するための音、音楽或いは音声等を出力する。また、これらを入力して、メモリーカード５１、フラッシュメモリーまたは音声メモリー等の記録媒体に記録（登録）できる。
【００１６】
光学系１１は、撮像レンズ１１１と自動絞り機構１１２を含み、撮像レンズ１１１を介して集光された被写体像の光束を後段のＣＣＤ１２１上に結像させる。
【００１７】
信号変換部１２は、ＣＣＤ１２１，ＣＣＤ駆動用タイミング信号生成回路（ＴＧ）１２２，ＣＣＤ駆動用垂直ドライバ１２３，自動利得制御回路（ＡＧＣ）１２４およびＡ／Ｄ変換器１２５を含み、前段の光学系１０を介してＣＣＤ１２１に結像した画像を電気信号に変換し、デジタルデータ（以下、画像データ）に変換して一定の周期で１フレーム分出力する。
【００１８】
信号処理部１３は、カラープロセス回路およびＤＭＡコントローラを有し、信号変換部１２からの出力をカラープロセス処理して、デジタルの輝度、色差マルチプレクス信号（ＹＵＶデータ）とし、ＹＵＶデータをＤＲＡＭ１４の指定領域にＤＭＡ（ダイレクトメモリーアクセス）転送し、展開する。また、信号処理部１３は記録保存の際にＤＲＡＭ１４に書込まれているＹＵＶデータを読み出してＪＰＥＧ圧縮処理を施す。また、記録部５０を介して取り込まれた記録媒体（メモリーカード）５１に保存記録されていた画像データに伸張処理を施してＹＵＶデータを再生する。
【００１９】
制御部２０は図１（ｂ）に示すように、ＣＰＵ２１、ＲＡＭ２２、ＲＯＭ２３およびタイマー２４を有している。
【００２０】
ＣＰＵ２１は、上述の各回路および図示しない電源切換えスイッチ等にバスラインを介して接続し、ＲＯＭ２３に格納されている制御プログラムによりデジタルカメラ１００全体の制御を行なうと共に、操作部３０からの状態信号に対応してデジタルカメラの各機能の実行制御、例えば、ＲＯＭ２３内に格納された各処理手段の実行による各機能の実現のための実行制御、を行なう。
ＲＡＭ２２はデータ或いは処理結果の一時記憶および中間作業領域等に用いられる。
ＲＯＭ２３は上述の制御プログラムおよびデジタルカメラ１００のその他の各機能を実行させるためのプログラムを記録する記録媒体であり、ＰＲＯＭ、ＦＲＯＭ（フラッシュＲＯＭ）等が用いられる。
【００２１】
操作部３０は、処理モード切換えスイッチ、機能選択用ボタン（複数個）、メインスイッチ、報知情報登録ボタン３４、報知情報選択ボタン３５、セルフタイマー設定ボタン３６、シャッターボタン３７、画像データ出力用ボタンおよび記録／再生モード切換えスイッチ等のスイッチやボタンを構成部分とし、これらのスイッチ或いはボタンが操作されると状態信号がＣＰＵ２１に送出される。
【００２２】
表示部４０は液晶ディスプレイ装置等の表示装置から構成されており、撮像時に被写体画像が表示されるので、画面をファインダとして用いることができる。また、再生モード時には再生画像を表示できる。
また、セルフタイマー設定時に被撮像者にセルフタイマー設定中であること等を知らせるための画像表示等を行なうことができる。この場合、デジタルカメラ１００は表示画面を被写体側に向けて撮像可能な構成、例えば、撮像用レンズを含む部分と、表示画面を含む部分が１０８度回転可能に構成されているものが用いられる（図７）。
【００２３】
ＲＯＭ４５には、液晶ディスプレイ４０に表示するＯＳＤ（0n Screen Display;挿入表示）用の記号や、図形および文字等の情報（例えば、セルフタイマー時に表示部４０に表示するアイコン等）が記録されている。
【００２４】
記録部５０は記録媒体を収容しＣＰＵ２１の制御により記録媒体５１上に信号処理部１３からの画像データを記録する。なお、実施例では記録部５０は記録媒体としてのメモリーカード５１を着脱可能に構成し、データの書込／読み出しを行なうように構成したが、フラッシュメモリー等の内部に固定された記録媒体にデータの書込／読み出しを行なうように構成してもよい。
また、後述するように、メモリーカード５１にセルフタイマー設定告知用の音楽データや音声データ或いは画像を登録する登録領域或いはこれらを登録した場所を記録する登録リスト領域を設ける（本実施例では、後述するように登録リスト６０（図４）を設けた）。
【００２５】
＜音響入出力部＞
音響入出力部１０は、報知情報出力手段１１０が起動されると、セルフタイマー設定期間中に設定時間に合せた音楽（主にメロディー）や、音声を出力する。また、報知情報登録手段１２０が起動されると設定時間に合せた音楽或いは音声を入力してデジタルデータに変換する。
【００２６】
図２は音響出力部１０の構成例を示すブロック図であり、音響入出力部１０は、音響入力部１０１および音響出力部１０２から構成され、音響入力部１０１は、音響を入力して電気信号（音声信号）に変換するマイクロフォン１０１１，入力された音響信号に対し正規化処理等、Ａ／Ｄ変換の前処理を行なう音響信号処理部１０１２、音響信号処理部１０１２の出力をデジタルデータ（音響データ）に変換するＡ／Ｄ変換器１０１３を有している。なお、本実施例ではＡ／Ｄ変換器１０１３からの出力データはＣＰＵ２１を介して一時的にＤＲＡＭ１４に記憶され、所定のタイミング（図６）でメモリーカード５１に記録される。
また、音響出力部１０２は、ＣＰＵ２１を介してＤＲＡＭ１４から送られるデジタルデータ（音響データ）をＤ／Ａ変換してアナログデータ（音響信号）とするＤ／Ａ変換器１０２１と、Ｄ／Ａ変換器１０２１の出力を整形して出力用音響声信号を得る音響信号処理部１０２２と、音響信号処理部１０２２からの音響信号を音響に変換して出力するスピーカ１０２３を有している。
【００２７】
＜ＤＲＡＭ１４の領域設定例＞
図３は、図１のデジタルカメラ１００の回路構成を例としたＤＲＡＭ１４内の各バッファ等の領域設定例を示す説明図である。
図１の例では信号処理部１３からの画像データ、ＶＲＡＭ（Video Random Access Memory）への画像データの出力およびデータ圧縮／伸張の際の画像データの書込／読み出しに同じＤＲＡＭ１４を用いている。このためにＤＲＡＭ１４上の画像データ記録用の領域の構成として、図３のようにいくつかの領域に分割したバッファを用意することで、目的に応じて各領域を設定できる。
【００２８】
なお、図３（ａ）で記号１４１はスルー画像用または再生画像用として兼用される画像バッファを、１４２は報知用データバッファを、１４３は報知用画像バッファを、１４４はその他の設定領域および予備領域を、１４５はワークエリア（作業用エリア）を示す。
報知用データバッファ１４２には、メモリーカード５１からの、図３（ｂ）に示すような登録リスト６０、音楽データ１３１，１３２，・・および音声データ１３６，・・を含む画像１フレーム分のデータが一時的に記憶され、報知用画像バッファ１４３にはメモリーカード５１からの、図３（ｂ）に示すような画像データ２０１，２０２，・・・のいずれかが一時的に記憶される。
【００２９】
＜登録リストの例＞
図４は登録リスト６０の構成例を示す説明図であり、登録リスト６０には、リストに登録された情報の種類（音楽、音声メッセージまたは画像の別をコード化したもの）が書込まれた情報区分欄６１、タイマー設定時間が書込まれた設定時間欄６２、メモリーカード５１に登録したセルフタイマー設定告知用の音楽データや音声データ或いは画像の登録場所（図では、記号で示しているが実施上はメモリーカード５１上のアドレス）を書込んだ格納場所欄６３から構成されている。
【００３０】
図４の例では、コード「０１」は音楽データを、「０２」は音声メッセージデータを、「０３」は画像を意味する。なお、音楽データおよび音声メッセージデータは容量が画像データに比べて小さく、メモリーカード５１の画像データ１フレーム分の記録容量があれば登録リスト６０と登録リスト６０に登録された音楽データおよび音声メッセージデータを全て記憶しても十分足りるので、実施例では、登録リスト６０と音楽データおよび音声メッセージデータをメモリーカード５１の画像データ１フレーム分の領域１３０（図３（ｂ））に記録している。
なお、メモリーカードは一定単位の記憶容量（通常は画像１フレーム分）毎に書込／読み出しが行なわれるので、実施例では、セルフタイマーが設定されるとメモリーカードの領域１３０のデータをそのままＤＲＡＭ１４の報知用データバッファ１４２に書込むようにしている。また、音楽データおよび音声メッセージデータの登録時にもメモリーカードの領域１３０のデータをそのままＤＲＡＭ１４の報知用データバッファ１４２に書込み、登録による追加、更新はＤＲＡＭ１４の報知用データバッファ１４２を対象に行ない、登録処理が終ると更新された報知用データバッファ１４２の内容をメモリーカードの領域１３０に書込むようにしている。
【００３１】
＜報知情報出力手段および報知情報登録手段＞
図５で、（ａ）セルフタイマー設定時に、音楽または／および音声メッセージの出力或いは画像表示によりセルフタイマー作動報知を行なう報知情報出力手段１１０の構成を示すブロック図、（ｂ）は音楽または音声メッセージを登録する報知情報登録手段１２０の構成を示すブロック図である。
【００３２】
図５（ａ）で、報知情報出力手段１１０は、設定状態判定手段１１１および報知手段１１２を有し、設定状態判定手段１１１は、セルフタイマー設定ボタン３６および報知情報選択ボタン３５の設定状態を調べ、セルフタイマーおよび報知情報出力が設定されると報知手段１１２を起動し、設定時間および報知方法コードを与え、セルフタイマー設定時間が到来すると報知手段１１２の動作を停止させる。
【００３３】
報知手段１１２は、基本的には音楽報知手段１１２１および音声メッセージ報知手段１１２２で構成できるが、本実施例ではこれらに更に画像報知手段１１２３を設けている。
報知手段１１２は、また、メモリーカードの領域１３０のデータをそのままＤＲＡＭ１４の報知用データバッファ１４２に書込むと共に設定状態判定手段１１１の判定結果に対応して音楽報知手段１１２１，音声メッセージ報知手段１１２２および画像出力手段１１２３のいずれか或いは音楽報知手段１１２１と画像出力手段１１２３、若しくは音声メッセージ報知手段１１２２と画像報知手段１１２３を起動する。
【００３４】
音楽報知手段１１２１は、ＤＲＡＭ１４の報知用データバッファ１４２の登録リスト６０を調べて、該当の設定時間の音楽の格納されている場所を得て、その場所に記億されている音楽データを読み出して、音響出力部１０２に与え、音響出力指示を行なう。これによりセルフタイマーで設定された時間内中は音楽が出力される。
なお、報知用音楽として、設定時間（実施例では、５秒刻みに５秒、１０秒、１５秒の３段階としている）に応じて適切な曲（例えば、憶えやすくてリズムで時間が分かるような曲）を登録しておくことが望ましい。
【００３５】
音声メッセージ報知手段１１２２は、ＤＲＡＭ１４の報知用データバッファ１４２の登録リスト６０を調べて、該当の設定時間の音声メッセージの格納されている場所を得て、その場所に記憶されている音声メッセージを読み出して、音響出力部１０２に与え、音響出力指示を行なう。これによりセルフタイマーで設定した時間は音声メッセージが出力される。
【００３６】
画像報知手段１１２３は、ＤＲＡＭ１４の報知用データバッファ１４２の登録リスト６０を調べて、該当の設定時間用の画像データの格納されている場所を得て、その場所に記憶されている画像データを読み出して、液晶ディスプレイ４０に表示する。これによりセルフタイマーで設定した時間中は報知用画像が表示される。
報知用の画像は予めメモリーカードに登録されたＯＳＤやアイコン等であり、画像報知手段１１２３は表示の際、このＯＳＤやアイコン等の画像を設定時間に合わせて動作させて表示する（すなわち、画面上でＯＳＤやアイコン等を設定時間に合わせて移動させる）。
【００３７】
報知情報登録手段１２０は、登録指示判定手段１２１と音響登録手段１２２を有し、登録指示判定手段１２１は報知情報登録ボタン３４の設定状態を調べ、音響情報登録設定がされた場合には音響登録手段１２２を起動する。
音響登録手段１２２は、音楽登録手段１２２１と音声メッセージ登録手段１１２２を有し、メモリーカードの領域１３０のデータをそのままＤＲＡＭ１４の報知用データバッファ１４２に書込むと共に音楽登録手段１２２１および音声メッセージ登録手段１１２２を起動する。また、報知情報の登録が終るとＤＲＡＭ１４の報知用データバッファ１４２のデータをメモリーカードの領域１３０に書込んで領域１３０を更新する。
【００３８】
音楽登録手段１２２１は音響入力部１０１からセルフタイマーの設定時間区分に対応する時間の間、音楽（曲）を入力して得た音響データを報知用データバッファ１４２に記憶させて、登録リスト６０に設定時間および音響データの格納場所を書込む。
【００３９】
音声メッセージ登録手段１２２２は音響入力部１０１からセルフタイマーの設定時間区分に対応する時間の間、音声メッセージを入力して得た音声データを報知用データバッファ１４２に記憶させて、登録リスト６０に設定時間および音声データの格納場所を書込む。
【００４０】
＜セルフタイマー作動時の報知動作＞
図６は、セルフタイマー作動時の報知動作例を示すフローチャートである。なお、以下の説明でセルフタイマー作動時に画像を出力する場合（Ｓ７，Ｓ８，Ｓ９の場合）には図７に示すようなレンズ部分と表示部分が１８０度回転可能に結合されて一体とされているデジタルカメラ２００を用いるか、デジタルカメラ１００をＴＶモニター等に接続し、デジタルカメラ１００からＴＶモニター等に画像（ビデオデータ）を送信して被撮像者に画面を向けたＴＶモニター上で画像表示を行なうようにする。
【００４１】
前提として、セルフタイマー作動時に音楽、音声メッセージ或いは画像を出力させるためには、撮像者が報知情報選択ボタン３５を操作して所望の報知情報（音楽、音声メッセージ、画像、音楽と画像、音声メッセージと画像、の報知）を設定する。本実施例では報知情報選択ボタン３５を１回押すと音楽、２回押すと音声メッセージ、３回押すと画像、４回押すと音楽と画像、５回押すと音声メッセージと画像による報知出力が指定されたものとして報知方法コードが設定される。
また、セルフタイマー設定ボタン３６を押し続けると液晶ディスプレイ４０に設定時間が５秒刻みに表示され、５秒、１０秒、１５秒、５秒というように循環する。撮像者が所望の設定時間の現われた時点でセルフタイマー設定ボタン３６から手を離すと、その時点の時間が設定される。
【００４２】
図６で、撮像者がシャッターボタン３７を押すと、セルフタイマーが設定されているか否かを調べ、セルフタイマーが設定されている場合にはＳ２に移行し、セルフタイマーが設定されていない場合には通常の撮像としてＳ１１に移行する（Ｓ１）。
【００４３】
次に、報知方法設定状態を調べ、報知方法の設定がされていない場合にはＳ３に移行し、報知方法の設定がされている場合にはメモリーカードの領域１３０のデータをそのままＤＲＡＭ１４の報知用画像バッファ１４２に書込んでＳ４に移行する（Ｓ２）。
【００４４】
上記Ｓ２で、報知方法の設定がされていない場合には時間カウンターを調べて設定時間の到来をまち、設定時間が到来した場合にはＳ１１に移行する（Ｓ３）。
【００４５】
上記Ｓ２で、報知方法の設定がされている場合には報知方法コードを調べて対応の報知出力処理（報知方法コードが１ならＳ５に、２ならＳ６に、３ならＳ７に４ならＳ８に５ならＳ９）に移行する（Ｓ４）。
【００４６】
上記Ｓ４で、報知方法コードが１の場合には、ＤＲＡＭ１４の報知用データバッファ１４２の登録リスト６０を調べて、該当する設定時間用の音楽データの格納されている場所を得て、その場所に記億されている音楽データを読み出して、音響出力部１０２に与え、音響出力指示を行なって音楽を出力させ、Ｓ１０に移行する（Ｓ５）。
【００４７】
上記Ｓ４で、報知方法コードが２の場合には、ＤＲＡＭ１４の報知用データバッファ１４２の登録リスト６０を調べて、該当する設定時間用の音声メッセージの格納されている場所を得て、その場所に記億されている音声メッセージを読み出して、音響出力部１０２に与え、音響出力指示を行ない、音声メッセージを出力させ、Ｓ１０に移行する（Ｓ６）。
【００４８】
上記Ｓ４で、報知方法コードが３の場合には、ＤＲＡＭ１４の報知用データバッファ１４２の登録リスト６０を調べて、該当の設定時間用の画像データの格納されている場所を得て、その場所に記憶されている画像データを読み出して、液晶ディスプレイ４０の画面上でＯＳＤやアイコン等の画像を設定時間に合わせて移動表示させ、Ｓ１０に移行する（Ｓ７）。
【００４９】
上記Ｓ４で、報知方法コードが４の場合には、ＤＲＡＭ１４の報知用データバッファ１４２の登録リスト６０を調べて、該当する設定時間用の音楽データの格納されている場所を得て、その場所に記億されている音楽データを読み出して、音響出力部１０２に与え、音響出力指示を行なって音楽を出力させると共に、ＤＲＡＭ１４の報知用データバッファ１４２の登録リスト６０を調べて、該当の設定時間用の画像データの格納されている場所を得て、その場所に記憶されている画像データを読み出して、液晶ディスプレイ４０の画面上でＯＳＤやアイコン等の画像を設定時間或いは音楽に合わせて移動表示させ、Ｓ１０に移行する（Ｓ８）。
【００５０】
上記Ｓ４で、報知方法コードが５の場合には、ＤＲＡＭ１４の報知用データバッファ１４２の登録リスト６０を調べて、該当する設定時間用の音声メッセージの格納されている場所を得て、その場所に記億されている音声メッセージを読み出して、音響出力部１０２に与え、音響出力指示を行なって音声メッセージを出力させると共に、ＤＲＡＭ１４の報知用データバッファ１４２の登録リスト６０を調べて、該当の設定時間用の画像データの格納されている場所を得て、その場所に記憶されている画像データを読み出して、液晶ディスプレイ４０の画面上でＯＳＤやアイコン等の画像を設定時間に合わせて移動表示させ、Ｓ１０に移行する（Ｓ９）。
【００５１】
タイマー設定時間が到来したか否かを調べ到来した場合にはＳ１１に移行し、そうでない場合にはＳ４に戻る（Ｓ１０）。
上記Ｓ３またはＳ１０でタイマー設定時間が到来した場合には、撮像を行なってメモリーカード５１に画像を記録保存して動作を終了する（Ｓ１１）。
【００５２】
上記動作により、セルフタイマー作動時にカメラから出る音楽または音声メッセージ或いは／および画像により被撮像者はタイマー設定およびその動作状況を認識できるので、結果的に被撮像者はタイマーが設定されていることを認識し、意識的或いは無意識にカメラ方向（特に、レンズ）を注視することとなる。また、音楽または音声メッセージの停止や画像動作の停止等により被撮像者は撮像がなされたことを感知できる。
【００５３】
図７は、セルフタイマー作動時に画像を出力する方式のデジタルカメラの外部構成を示す説明図である。
デジタルカメラ２００の内部構造および機能は図１のデジタルカメラ１００と同じであるが、表示部側２１０とレンズ側２２０とが回転可能に結合された構成をなしている。図７で、（ａ）はデジタルカメラ２００の表側を示し、レンズ側２２０にはレンズ１１１等が設けられている。また、（ｂ）はデジタルカメラ２００の裏側を示し、表示部側２１０には液晶ディスプレイ４０等が設けられている。また、（ｃ）はレンズ側２２０を１８０度回転させた例であり、表示部側２１０には液晶ディスプレイ４０等が、レンズ側２２０にはレンズ１１１等が示されている。
【００５４】
セルフタイマー作動時の報知動作に報知画像を表示する場合には被撮像者は、デジタルカメラ２００を（ｃ）の状態にして、被写体として視野の中に入るようにする。これにより、被撮像者はデジタルカメラ２００に表示され移動する報知画像を見ることができる。
【００５５】
＜音響登録時の動作＞
図８は、音響登録時の動作例を示すフローチャートである。
報知情報登録ボタン３４の設定状態を調べ、音響情報登録設定がされた場合にはＴ２に移行し、そうでない場合には他の処理に移行する（Ｔ１）。
【００５６】
上記Ｔ１で音響情報登録設定がされた場合には、メモリーカードの領域１３０のデータをそのままＤＲＡＭ１４の報知用データバッファ１４２に書込むと共に、それが音楽登録か音声メッセージ登録かを調べ、音楽登録の場合にはＴ３に移行し、音声メッセージ登録の場合にはＴ４に移行する（Ｔ２）。
【００５７】
上記Ｔ２で、音楽登録の場合には音響入力部１０１からセルフタイマーの設定時間区分に対応する時間の間、音楽（曲）を入力して得た音響データを報知用データバッファ１４２に記憶させて、登録リスト６０に設定時間および音響データの格納場所を書込んで登録し、登録が終るとＴ５に移行する（Ｔ３）。
【００５８】
上記Ｔ２で、音声メッセージ登録の場合には、音響入力部１０１からセルフタイマーの設定時間区分に対応する時間の間、音声メッセージを入力して得た音声データを報知用データバッファ１４２に記憶させて、登録リスト６０に設定時間および音声データの格納場所を書込み、Ｔ５に移行する（Ｔ４）。
【００５９】
上記Ｔ３またはＴ４で登録が終るとＤＲＡＭ１４の報知用データバッファ１４２のデータをメモリーカード５１の領域１３０に書込んで領域１３０を更新し、登録処理を終了する（Ｔ５）。
【００６０】
なお、本実施例では、ユーザが設定したセルフタイマー時間に応じた報知用データを選択して出力するようにしたが、ユーザが手動操作により報知出力する報知用データを選択設定できるようにしてもよい。
【００６１】
以上本発明の一実施例について説明したが、本発明は上記実施例に限定されるものではなく、種々の変形実施が可能であることはいうまでもない。
【００６２】
【発明の効果】
以上説明したように、セルフタイマー動作中にカメラ装置からセルフタイマー動作中であることを被撮像者に印象付ける報知用データ（例えば、音楽や音声メッセージ）が出力されるので、被撮像者はセルフタイマー設定およびその動作状況を認識できる。これにより、結果的に被撮像者はタイマーが設定されていることを認識し、意識的或いは無意識にカメラ方向（特に、レンズ）を注視することとなる。
【００６３】
また、報知データの出力停止により被撮像者は撮像がなされたことを感知できる。これにより、被撮像者の電子カメラ装置に対する注意力が喚起されて、統一正のある集合画像が得られた。
【００６４】
また、集合画像でない場合も被写体となった撮像者は、音楽や音楽メッセージから撮像の時期を簡単に知ることができるので、余裕をもって電子カメラ装置の視野内にはいりポーズをとることができるようになった。
【００６５】
また、予め報知データを登録しておき撮像時に選択することができるので、被撮像者の性別や年齢層によって報知データを選び、被撮像者の性別や年齢層による報知データに対する関心度の低下を防ぐことができた。また、時折、報知データを替えることにより、関心度の向上を図ることができた。
【００６６】
また、ユーザが報知データを入力することができるので、登録されている報知データをユーザーの所望のものに変更できる。これにより、ユーザは自分のカメラ装置と他人のカメラ装置の差別を強調でき、被撮像者のカメラ装置に対する求心力を高め得る。
【図面の簡単な説明】
【図１】本発明を適用したカメラ装置の一実施例としてのデジタルカメラの回路構成例を示すブロック図である。
【図２】音響入出力部の成例を示すブロック図である。
【図３】ＤＲＡＭ内の各バッファ等の領域設定例を示す説明図である。
【図４】登録リストの構成例を示す説明図である。
【図５】報知情報出力手段および報知情報登録手段の構成例を示すブロック図である。
【図６】セルフタイマー作動時の報知動作例を示すフローチャートである。
【図７】セルフタイマー作動時に画像を出力する方式のデジタルカメラの外部構成を示す説明図である。
【図８】音響登録時の動作例を示すフローチャートである。
【符号の説明】
１０  音響入出力装置（報知手段）
１４  ＤＲＡＭ（メモリー、記録手段）
３４  報知情報登録ボタン（入力手段）
３５  報知情報選択ボタン（選択手段）
４０  液晶ディスプレイ（報知手段）
５１  メモリーカード（記録手段）
１００，２００  デジタルカメラ（カメラ装置）
１１０  報知情報出力手段
１２０  報知情報登録手段
【図１】
0003899622.tif 000002
【図２】
0003899622.tif 000003
【図３】
0003899622.tif 000004
【図４】
0003899622.tif 000005
【図５】
0003899622.tif 000006
【図６】
0003899622.tif 000007
【図７】
0003899622.tif 000008
【図８】
0003899622.tif 000009